【事件の表示】
　特願２０１４−４８３４８「イメージを処理する電子装置及びその動作方法」拒絶査定不服審判事件〔平成２６年　９月２５日出願公開、特開２０１４−１７９０８３、請求項の数（１４）〕について、次のとおり審決する。
【結　論】
　原査定を取り消す。
　本願の発明は、特許すべきものとする。
【理　由】
第１　手続の経緯 
　本願は、平成２６年３月１２日（パリ条約による優先権主張　２０１３年３月１３日　アメリカ合衆国、２０１３年１１月１８日　大韓民国）の出願であって、その手続の経緯は以下のとおりである。
　平成２７年１月２３日付け　拒絶理由の通知
　平成２７年５月１３日　　　意見書、手続補正書の提出
　平成２７年７月２１日付け　拒絶査定
　平成２７年１１月３０日　　審判請求書、手続補正書の提出
　平成２７年１２月１６日　　前置報告
　平成２８年１１月８日付け　当審における拒絶理由の通知
　平成２９年２月１５日　　　意見書、手続補正書の提出
第２　本願の請求項１−１４
　平成２９年２月１５日付けの手続補正により補正された特許請求の範囲の請求項１−１４の記載は以下のとおりである（以下、補正後の請求項１−１４をそれぞれ「補正後の請求項１」、「補正後の請求項２」等という。また、補正後の請求項１に記載された発明を、「本願発明」という。なお、下線は、平成２９年２月１５日付け手続補正書で審判請求人により付されたものである。）。
「【請求項１】
　電子装置であって、
　
低画素の
　
高画素の
　前記第１イメージセンサから受信した第１イメージデータを処理する第１プロセッサと、
　前記第２イメージセンサから受信した第２イメージデータを処理する第２プロセッサと、
　前記第１プロセッサによって処理された第１イメージデータ及び前記第２プロセッサによって処理された第２イメージデータのうちの一つ以上のイメージデータを表示する表示
部を
　前記第１プロセッサは、前記第１イメージデータにイメージ獲得時点（ｔｉｍｅ　ｓｔａｍｐ）を設定し、
　前記第２プロセッサは、前記第２イメージデータにイメージ獲得時点を設定し、
　前記表示部は、前記イメージ獲得時点に基づいて一つ以上のイメージデータを表示し、
　前記第１プロセッサは、キャプチャイベントの発生に対する応答で、
処理遅延の差に基づいて、
多数個の
のうち、前記キャブチャイベントの発生時点より前のイメージ獲得時点を含む第１イメージデータを選択し、
多数個の
のうち、前記キャブチャイベントの発生時点に最も近接したイメージ獲得時点を含む第２イメージデータを選択し、前記選択した第１イメージデータと前記選択した第２イメージデータを利用して
する
　　【請求項２】
　前記第１プロセッサは、応用プロセッサ（ＡＰ）を含み、
　前記第２プロセッサは、前記応用プロセッサの外部に位置するイメージ処理プロセッサ（ＩＳＰ）を含むことを特徴とする請求項１に記載の電子装置。
　　【請求項３】
　第１メモリと、
　前記第１メモリと論理的又は物理的に分離された第２メモ
リを
　前記第１プロセッサは、前記第１イメージデータを前記第１メモリに提供し、
　前記第２プロセッサは、前記第２イメージデータを前記第２メモリに提供することを特徴とする請求項２に記載の電子装置。
　　【請求項４】
　前記第２プロセッサは、前記第２イメージデータを前記第１メモリに提供することを特徴とする請求項３に記載の電子装置。
　　【請求項５】
　前記第１プロセッサは、前記第１メモリに保存された前記第１イメージデータのイメージ獲得時点及び前記第２イメージデータのイメージ獲得時点
に基づき
　　【請求項６】
　前記第２イメージデータは、前記第１イメージデータのデータサイズより大きいデータサイズを有することを特徴とする請求項１に記載の電子装置。
　　【請求項７】
　前記第２プロセッサは、前記第２イメージセンサから受信した第２イメージデータを前記表示部に表示可能なフォーマットに変換することを特徴とする請求項６に記載の電子装置。
　　【請求項８】
　電子装置の動作方法であって、
　多数個のイメージセンサを利用して多数個のイメージデータを生成するステップと、
　前記多数個のイメージセンサのそれぞれに接続される多数個のプロセッサを介して、前記多数個のイメージデータのそれぞれに対応するイメージ獲得時点を設定するステップと、
　前記イメージ獲得時点に基づい
て多
一つ以上の
プを
　前記表示部に表示するステップは、
　第
低画素の
処理遅延の差に基づいて
データ
　第２メモリに保存された一つ以上の
高画素の
最も近接したイメージ獲得時点を含む
データ
　前記選択した第１イメージデータ及び前記選択した第２イメージデータ
を合成した合成イメージデータ
プを
　　【請求項９】
　前記イメージデータを生成するステップは、
　前記電子装置に実装されるか又は有線インタフェース若しくは無線インタフェースを介して前記電子装置に連結される多数個のイメージセンサを利用して多数個のイメージデータを生成するステップを含むことを特徴とする請求項８に記載の電子装置の動作方法。
　　【請求項１０】
　前記イメージ獲得時点を設定した多数個のイメージデータを一つ以上のメモリに保存するステップを更に含むことを特徴とする請求項８に記載の電子装置の動作方法。
　　【請求項１１】
　前記多数個のイメージデータを一つ以上のメモリに保存するステップは、
　第１イメージセンサを利用して生成した一つ以上の第１イメージデータを第１メモリに保存するステップと、
　第２イメージセンサを利用して生成した一つ以上の第２イメージデータを第２メモリに保存するステッ
プを
　前記第２メモリは、前記第１メモリと論理的又は物理的に分離されたメモリを含むことを特徴とする請求項１０に記載の電子装置の動作方法。
　　【請求項１２】
　電子装置の動作方法であって、
　応用プロセッサによって第１イメージ獲得時点が追加された第１イメージデータ及び前記応用プロセッサの外部に位置するイメージ処理プロセッサによって第２イメージ獲得時点が追加された第２イメージデータを保存するステップと、
　前記イメージ獲得時点に基づいて前記応用プロセッサによって処理された前記第１イメージデータ及び前記イメージ処理プロセッサによって処理された前記第２イメージデータのうちの一つ以上のイメージデータを表示部に表示するステッ
プを
　前記表示部に表示するステップは、
　第
低画素の
処理遅延の差に基づいて
データ
　第２メモリに保存された一つ以上の
高画素の
最も近接したイメージ獲得時点を含む
データ
　前記選択した第１イメージデータ及び前記選択した第２イメージデータ
を合成した合成イメージデータ
プを
　　【請求項１３】
　電子装置の動作方法であって、
　第１イメージセンサ及び第２イメージセンサを利用して
低画素の
高画素の
　応用プロセッサによって第１イメージ獲得時点が追加された第１イメージデータ及び前記応用プロセッサの外部に位置するイメージ処理プロセッサによって第２イメージ獲得時点が追加された前記第２イメージデータを保存するステップと、
　前記イメージ獲得時点に基づいて前記応用プロセッサによって処理された前記第１イメージデータ及び前記イメージ処理プロセッサによって処理された前記第２イメージデータのうちの一つ以上のイメージデータを表示部に表示するステッ
プを
　前記表示部に表示するステップは、
　第
処理遅延の差に基づいて
データ
　第２メモリに保存された一つ以上の第２イメージデータのうち、前記キャプチャイベント発生時点に
最も近接したイメージ獲得時点を含む
データ
　前記選択した第１イメージデータ及び前記選択した第２イメージデータ
を合成した合成イメージデータ
プを
　　【請求項１４】
　前記第１イメージデータ及び前記第２イメージデータを保存するステップは、
　前記第１イメージデータを第１メモリに保存するステップと、
　前記第２イメージデータを第２メモリに保存するステップと、を含み、
　前記第２メモリは、前記第１メモリと論理的又は物理的に分離されたメモリを含むことを特徴とする請求項１２又は１３に記載の電子装置の動作方法
。
第３　当審における拒絶理由及び原査定の理由の概要
１　当審における拒絶理由
「 １．本件出願は、特許請求の範囲の記載が下記の点で、特許法第３６条第６項第１号及び第２号に規定する要件を満たしていない。
 　２．本件出願は、発明の詳細な説明の記載が下記の点で、特許法第３６条第４項第１号に規定する要件を満たしていない。
　　　　　　　　　　　　　　　記
　以下、下線は当審において付したものである。
理由１について
（１）平成２７年１１月３０日付けで補正された特許請求の範囲の請求項１の「前記第１プロセッサは、キャプチャイベントの発生に対する応答で、前記第１イメージセンサを介して受信した
前記第１イメージデータのイメージ獲得時点及び
前記第２イメージデータのイメージ獲得時点のうち、少なくとも一部を利用
　
前記第１イメージデータのイメージ獲得時点は
発生時点より以前のイメージ獲得時点を含み
　
前記第２イメージデータのイメージ獲得時点は
発生時点にイメージ処理中である第２イメージデータのイメージ獲得時点を含む
　発明の詳細な説明には、「多数個のイメージセンサを備える場合、電子装置はそれぞれのイメージセンサを介して獲得したイメージの処理速度が異なると、
同一時点でイメージセンサを介して獲得したイメージを同一時点に表示部に表示すること
低画素の第１イメージセンサ
高画素の第Ｎイメージセンサ
第１イメージセンサ（１３０−１）のイメージデータ及び第Ｎイメージセンサ（１３０−Ｎ）のイメージデータに対する処理遅延の差を利用して、キャプチャイベント発生時点より前のイメージ獲得時点を含むイメージデータのうちのいずれか一つの第１イメージデータを選択
第Ｎイメージセンサ（１３０−Ｎ）を介して獲得したイメージデータのイメージ獲得時点に基づいて、キャプチャイベント発生時点に最も近接した時点で獲得した・・・第２イメージデータを選択
合成する
合成するイメージデータの獲得時点を同期化する
　上記請求項１の記載では、請求項１に係る発明が課題を解決するために、どの「第１イメージデータ」とどの「第２イメージデータ」をどのように選択するのかが特定されていないから、請求項１は、発明の詳細な説明に記載した範囲を超えて特許を請求するものである（第６項第１号）。
　請求項８、１２及び１３についても同様である。
（２）請求項１の「前記第１イメージデータの
イメージ獲得時点
イメージ獲得時点のうち、少なくとも一部を利用して
　また、発明の詳細な説明には、例えば、「イメージ生成制御部２２０は、
メモリ１２０に保存されているイメージデータのイメージ獲得時点に基づいて
少なくとも２つのイメージデータを選択して
　請求項５についても同様である。
（３）請求項１には、「前記第２イメージデータの大きさが前記第１イメージデータの大きさより大きい場合、」とあるが、第１及び第２のイメージデータの大きさを比較していずれが大きいかを判断することを意味するのか、あるいは、「第１のイメージセンサ」及び「第２のイメージセンサ」がそれぞれ低画素の第１イメージセンサ及び高画素の第Ｎイメージセンサであることを意味するのかが不明確である（第６項第２号）。
　なお、発明の詳細な説明には、「
低画素の第１イメージセンサ
高画素の第Ｎイメージセンサ
　請求項８、１２、１３及び１５についても同様である。
（４）請求項１には「前記キャプチャイベントの発生時点
より以前
より前
以前
　なお、発明の詳細な説明には、「キャプチャイベント発生時点
より前
（５）請求項１の「前記第２イメージデータのイメージ獲得時点は、・・・前記キャプチャイベントの発生時点に
イメージ処理中である第２イメージデータの
　この点に関し、請求人は、平成２８年２月１９日付け上申書において、上記記載を「前記第２イメージデータのイメージ獲得時点は、・・・前記キャプチャイベントの発生時点に
最も近接した
　なお、補正の際には、上記（１）〜（４）、以下（６）及び理由２で指摘した点も含めて補正を検討されたい。
　請求項８、１２及び１３についても同様である。
（６）請求項８の「前記選択した第１イメージデータ及び前記選択した第２イメージデータのうちの少なくとも一部を前記表示部に表示するステップ」に関し、発明の詳細な説明には、「キャプチャイベントが発生した場合、プロセッサ１１０は、それぞれのイメージセンサ（１３０−１〜１３０−Ｎ）を介して獲得したイメージデータのイメージ獲得時点に基づいて、合成するための
少なくとも２つのイメージデータ
少なくとも２つのイメージデータ
のうちの少なくとも一部
　請求項１２及び１３についても同様である。
理由２について、
　発明の詳細な説明の段落４０には、「
最も
いずれか一つ
最も
　段落６６、段落９０−９１、段落１２４−１２５、段落１３９−１４２についても同様である。」
２　原査定の理由の概要
（１）平成２７年１月２３日付け拒絶理由の概要
　平成２７年１月２３日付け拒絶理由の内容は、概ね以下のとおりである。
「この出願の下記の請求項に係る発明は、その出願前に日本国内において頒布された下記の刊行物に記載された発明に基づいて、その出願前にその発明の属する技術の分野における通常の知識を有する者が容易に発明をすることができたものであるから、特許法第２９条第２項の規定により特許を受けることができない。
　　　　　　記（引用例等については引用例等一覧参照）
　　　請求項１〜３８について引用例１，２
　　　請求項３９〜４１について引用例１〜４
　請求項１について
　引用例１について、その【００１４】〜【００２１】、【００２９】〜【００３１】、【図１】等に注目して、引用例１に記載された発明と、本願の請求項１に係る発明とを対比すると、次のことがいえる。
・引用例１における、ＣＣＤ（４）により取得された画像情報と、ＬＳＭ装置（２）により取得された画像情報との関係は、本願における、第１イメージセンサにより生成される第１イメージデータと、第２イメージセンサにより生成される第２イメージデータとの関係に相当している。
・引用例１のものは、ＣＣＤ画像及びＬＳＭ画像をモニタに表示しているものであり、これは本願にいう、第１イメージデータ及び第２イメージデータを表示部に表示するものである。
・引用例１のものにおける、ＣＣＤ画像に対応付けて記憶している時間情報と、同様にＬＳＭ画像についても対応付けて記憶している時間情報は、本願のものにおける、第１イメージデータ及び第２イメージデータに設定しているイメージ獲得時点（ｔｉｍｅ　ｓｔａｍｐ）に相当している。
・引用例１のものは、ＣＣＤ画像に対応付けて記憶している時間情報に近い時間情報を有するＬＳＭ画像を検索して表示しているものであり、この動作は、本願のものが、イメージ獲得時点に基づいて一つ以上のイメージデータを表示させていることに相当している。
　また、引用例２にも引用例１に示されたと同様の技術が示されている。
　よって、本願の請求項１に係る発明は、当業者が、引用例１，２に記載された発明に基づいて容易になし得たものである。
（以下、略）
　　引用文献等一覧
　１.特開２０１１−０１３６１０号公報
　２.特開２００８−１５２６９２号公報
　３.特開２０１０−０２１９３５号公報
　４.特開２００７−０２８６８９号公報」
（２）原査定の理由
　本願の請求項１〜３２に係る発明は、当業者が、引用例１〜２に記載された発明に基づいて容易になし得たものであるから、本願は、特許法第２９条第２項の規定により特許を受けることができない。
　本願の請求項３３〜３５に係る発明は、当業者が、引用例１〜４に記載された発明に基づいて容易になし得たものであるから、本願は、特許法第２９条第２項の規定により特許を受けることができない。
　＜引用文献等一覧＞
　１.特開２０１１−０１３６１０号公報
　２.特開２００８−１５２６９２号公報
　３.特開２０１０−０２１９３５号公報
　４.特開２００７−０２８６８９号公報
第４　当審の判断
１　当審における拒絶理由について
（１）理由１について
　平成２７年１１月３０日付け手続補正により、請求項１の「第１イメージデータ」及び「第２イメージデータ」は、それぞれ「
低画素の
高画素の
処理時間の差に基づいて
「キャブチャイベントの発生時点に最も近接したイメージ獲得時点を含む第２イメージデータを選択
選択した第１イメージデータと選択した第２イメージデータを利用して
　請求項８、１２及び１３についても同様である。
　また、請求項５の「イメージ獲得時点のうち少なくとも一部を利用して」は、「イメージ獲得時点に基づき」に補正された。
　なお、補正前の請求項１５は削除された。
　上記補正により、理由１は解消した。
（２）理由２について
　発明の詳細な説明中の「最も近接した時点で獲得したいずれか一つの第２イメージデータ」（補正前の段落４０等）は、「最も近接した時点で獲得した第２イメージデータ」と補正された。
　上記補正により、理由２は解消した。
（３）小括
　以上より、当審における拒絶理由は解消した。
２　原査定の理由について
（１）引用文献１に記載された発明
　特開２０１１−１３６１０号公報（原査定の引用文献１。以下、「引用文献１」という。）には、以下の記載がある（なお、下線は当審において付したものである。）。
ア　「【００１４】
　本発明の一実施形態に係る顕微鏡装置１について、図面を参照して以下に説明する。
　本実施形態に係る
顕微鏡装置１は、図１に示されるように、ＬＳＭ装置２と、該ＬＳＭ装置２に付属する面照明光源３およびＣＣＤ（撮像素子）４と、ＬＳＭ装置２およびＣＣＤ４を制御する制御部５と、制御部５に対して入力を行う入力部６と、ＬＳＭ装置２およびＣＣＤ４により取得された画像等を表示するモニタ７と、観察時間を計数するタイマ８と、ＬＳＭ装置２およびＣＣＤ４により取得された画像情報等を記憶する記憶部９とを備えている
　【００１５】
　ＬＳＭ装置２は、共焦点顕微鏡であって、レーザ光を出射するレーザ光源１０と、該レーザ光源１０から出射されたレーザ光を２次元的に走査するスキャナ１１と、該スキャナ１１により走査されたレーザ光を標本Ａ上に集光し、標本Ａにおいて発生した蛍光を集光する対物レンズ１２と、該対物レンズ１２により集光されスキャナ１１を介して戻る蛍光をレーザ光の光路から分岐するダイクロイックミラー１３と、該ダイクロイックミラー１３により分岐された蛍光を集光する集光レンズ１４と、該集光レンズ１４の焦点位置に配置された共焦点ピンホール１５と、該共焦点ピンホール１５を通過した蛍光を検出する光検出器（ＰＭＴ：光電子増倍管）１６とを備えている。図中、符号１７，１８はダイクロイックミラーである。
　【００１６】
　スキャナ１１は、例えば、独立して揺動可能な一対のガルバノミラー（図示略）を備える、いわゆる近接ガルバノミラーである。制御部５はスキャナ１１に対してレーザ光の照射位置を指令し、スキャナ１１は制御部５からの指令に応じた揺動角度となるように各ガルバノミラーを駆動するようになっている。
　【００１７】
　また、
制御部５は、ＬＳＭ装置２の光検出器１６から蛍光の輝度情報を受け取ると、その輝度情報をスキャナ１１の揺動角度位置と対応づけて逐次記憶することにより、２次元的なＬＳＭ画像情報を生成するようになっている
　また、
制御部５は、ＣＣＤ４から画像信号を受け取ると、２次元的なＣＣＤ画像情報を生成し、
　【００１８】
　さらに、
制御部５は、図２に示されるように、ＣＣＤ４からの画像信号の受け取りが開始されると、その開始時にタイマ８から受け取った時間情報を、生成されたＣＣＤ画像情報に対応づけるようになっている。同様に、制御部５は、ＬＳＭ装置２のＰＭＴ１６からの蛍光輝度情報の受け取りが開始されると、その開始時にタイマ８から受け取った時間情報を、生成されたＬＳＭ画像情報に対応づけるようになっている。
　図２において
ＣＣＤ画像情報は、それぞれ複数の２次元画像であるフレームの集合から構成されており、ＬＳＭ画像情報は、それぞれ単一の２次元画像から構成されている
イ　「【００２０】
　入力部６は、ユーザにより操作されるキーボード、マウスあるいはジョイスティック等により構成されている。ユーザは入力部６を操作することにより、観察の開始を指令し、モニタ７に表示されたいずれかの画像を指定することができるようになっている。
　【００２１】
　そして、
制御部５は、入力部６により特定の画像がユーザにより指定されると、指定された画像情報に関連づけて記憶されている時間情報を読み出し、さらに、読み出された時間情報に近い時間情報を検索し、当該時間情報に関連づけて記憶されている画像情報を読み出されてモニタ７に表示するようになっている。これにより、指定された画像に関連する他の画像を表示することができるようになっている
ウ　「【００２８】
　このように、本実施形態に係る顕微鏡装置１によれば、ＬＳＭ装置２およびＣＣＤ４のように異なる画像取得方法によって異なるタイミングで取得された画像情報に、各画像情報を取得開始した時点での単一の時間軸に従う時間情報が対応づけて記憶されるので、ＬＳＭ装置２とＣＣＤ４のように取得タイミングが全く関連なく個別に画像情報が取得される場合であっても、
取得された画像情報を事後的に容易に時系列に観察することができる
　【００２９】
　そして、本実施形態に係る顕微鏡装置１によれば、例えば、ＣＣＤ画像をモニタ７に順次表示して観察している際に、ユーザが入力部６を操作して特定のＣＣＤ画像を指定すると、制御部５が、指定されたＣＣＤ画像に対応づけて記憶している時間情報を記憶部９から読み出し、読み出された時間情報に近い時間情報を有するＬＳＭ画像を記憶部９内において検索する。そして、制御部５は検索したＬＳＭ画像をモニタ７に表示する。
　【００３０】
　例えば、
図２に示される例では、画像情報としてＣＣＤ画像（ＣＣＤ２）を指定したときに、該画像（ＣＣＤ２）に対応づけられている時間情報（ＣＣＤｔ２）が読み出され、制御部５は、この時間情報（ＣＣＤｔ２）に近い時間情報（ＬＳＭｔ２、ＬＳＭｔ３）を検索し、これに対応づけられているＬＳＭ画像（ＬＳＭ２，ＬＳＭ３）をモニタ７に表示する
　【００３１】
　
これにより、ＣＣＤ画像によって標本Ａの全体を観察している途中で、特に詳細に観察したい変化が標本Ａに発生した場合等に、その時点に最も近いＬＳＭ画像をモニタ７に表示して標本Ａを詳細に観察することができる
　なお、本実施形態においては、モニタ７上に表示したＣＣＤ画像を指定して、近接するＬＳＭ画像を呼び出すこととしたが、これに代えて、
モニタ７上に表示したＬＳＭ画像を指定して近接するＣＣＤ画像を呼び出すことにしてもよい。
　そうすると、引用文献１に記載された発明（以下、「引用発明１」という。）は、以下のとおりである。
「顕微鏡装置であって、
　それぞれが単一の２次元画像から構成されるＬＳＭ画像を取得するＬＳＭ装置２と、
　それぞれ複数の２次元画像であるフレームの集合から構成されるＣＣＤ画像情報を取得するＣＣＤ（撮像素子）４と、
　ＬＳＭ装置２およびＣＣＤ４を制御する制御部５と、
　ＬＳＭ装置２およびＣＣＤ４により取得された画像等を表示するモニタ７と、
　観察時間を計数するタイマ８と、
　ＬＳＭ装置２およびＣＣＤ４により取得された画像情報等を記憶する記憶部９とを備え、
　制御部５は、ＬＳＭ装置２の光検出器１６から蛍光の輝度情報を受け取ると、その輝度情報をスキャナ１１の揺動角度位置と対応づけて逐次記憶することにより、２次元的なＬＳＭ画像情報を生成し、
　制御部５は、ＣＣＤ４から画像信号を受け取ると、２次元的なＣＣＤ画像情報を生成し、
　制御部５は、ＣＣＤ４からの画像信号の受け取りが開始されると、その開始時にタイマ８から受け取った時間情報を、生成されたＣＣＤ画像情報に対応づけ、
　制御部５は、ＬＳＭ装置２のＰＭＴ１６からの蛍光輝度情報の受け取りが開始されると、その開始時にタイマ８から受け取った時間情報を、生成されたＬＳＭ画像情報に対応づけ、
　制御部５は、入力部６により特定の画像がユーザにより指定されると、指定された画像情報に関連づけて記憶されている時間情報を読み出し、さらに、読み出された時間情報に近い時間情報を検索し、当該時間情報に関連づけて記憶されている画像情報を読み出されてモニタ７に表示することにより、指定された画像に関連する他の画像を表示することができ、
　画像情報としてＣＣＤ画像（ＣＣＤ２）を指定したときに、該画像（ＣＣＤ２）に対応づけられている時間情報（ＣＣＤｔ２）が読み出され、制御部５は、この時間情報（ＣＣＤｔ２）に近い時間情報（ＬＳＭｔ２、ＬＳＭｔ３）を検索し、これに対応づけられているＬＳＭ画像（ＬＳＭ２，ＬＳＭ３）をモニタ７に表示することにより、ＣＣＤ画像によって標本Ａの全体を観察している途中で、特に詳細に観察したい変化が標本Ａに発生した場合等に、その時点に最も近いＬＳＭ画像をモニタ７に表示して標本Ａを詳細に観察することができ、
　モニタ７上に表示したＬＳＭ画像を指定して近接するＣＣＤ画像を呼び出すことにしてもよい、顕微鏡装置」
（２）対比
ア　引用発明１は、「ＬＳＭ装置２およびＣＣＤ４により取得された画像情報等を記憶する記憶部９」を備え、該「画像情報」を読み出して「モニタ７に表示」する「顕微鏡装置」であるから、「電子装置」ということができる。
　また、「ＬＳＭ装置２」で取得した「２次元画像から構成されるＬＳＭ画像」及び「ＣＣＤ（撮像素子）４」で取得した「ＣＣＤ画像情報」は、「低画素」か「高画素」かは別として、「イメージデータ」と言い得るものであるから、引用発明１の「ＣＣＤ（撮像素子）４」、「ＣＣＤ画像情報」、「ＬＳＭ装置２」及び「２次元画像から構成されるＬＳＭ画像」は、それぞれ本願発明にいう「第１イメージセンサ」、「第１イメージデータ」、「第２イメージセンサ」及び「第２イメージデータ」に対応するといえる。
イ　引用発明１の「制御部５」は、ＣＣＤ４から画像信号を受け取って、２次元的なＣＣＤ画像情報を生成するとともに、ＬＳＭ装置２の光検出器１６から蛍光の輝度情報を受け取って、２次元的なＬＳＭ画像情報を生成する。また、ＣＣＤ４からの画像信号の受け取り開始時にタイマ８から受け取った時間情報をＣＣＤ画像情報に対応づけ、ＬＳＭ装置２のＰＭＴ１６からの蛍光輝度情報の受け取り開始時にタイマ８から受け取った時間情報をＬＳＭ画像情報に対応づける。
　そうすると、引用発明１の「制御部５」は「プロセッサ」と言いうるものであるから、本願発明と引用発明１とは、第１のイメージデータと第２のイメージデータとを別々のプロセッサで扱うかどうかは別として、「プロセッサ」が、「第１イメージセンサから受信した第１イメージデータを処理」し、「第２イメージセンサから受信した第２イメージデータを処理」し、「第１イメージデータにイメージ獲得時点（ｔｉｍｅ　ｓｔａｍｐ）を設定し」、「第２イメージデータにイメージ獲得時点を設定」する点で、共通する。
ウ　引用発明１の「モニタ７」は、ＬＳＭ装置２およびＣＣＤ４により取得された画像等を表示するから、「プロセッサによって処理された第１イメージデータ及び第２イメージデータのうちの一つ以上のイメージデータを表示する表示部」といえる。
エ　引用発明１の「制御部５」は、モニタ７上に表示されたＬＳＭ画像を入力部６によりユーザが指定すると、指定された画像情報に関連づけて記憶されている時間情報を読み出し、さらに、読み出された時間情報に近い時間情報を検索し、当該時間情報に関連づけて記憶されているＣＣＤ画像（ＣＣＤ２）を読み出してモニタ７に表示することにより、指定された画像に関連する他の画像を表示することができるから、「入力部６によりユーザが指定した第１イメージデータに関連づけられたイメージ獲得時点に基づいて、第２イメージセンサを介して受信した多数個の第２イメージデータのうち、前記イメージ獲得時点に最も近接したイメージ獲得時点を含む第２イメージデータを選択」して表示部に表示させるものといえる。
　よって、引用発明１の「モニタ７」は、「イメージ獲得時点に基づいて一つ以上のイメージデータを表示」する点で本願発明と一致するといえる。
エ　そうすると、本願発明と引用発明１との一致点、相違点は、以下のとおりである。
[一致点］
 「電子装置であって、
　第１イメージデータを生成する第１イメージセンサと、
　第２イメージデータを生成する第２イメージセンサと、
　プロセッサと、
　前記プロセッサによって処理された第１イメージデータ及び前記プロセッサによって処理された第２イメージデータのうちの一つ以上のイメージデータを表示する表示部を備え、
　前記プロセッサは、前記第１イメージセンサから受信した第１イメージデータを処理し、前記第２イメージセンサから受信した第２イメージデータを処理し、前記第１イメージデータにイメージ獲得時点（ｔｉｍｅ　ｓｔａｍｐ）を設定し、前記第２イメージデータにイメージ獲得時点を設定し、
　前記表示部は、前記イメージ獲得時点に基づいて一つ以上のイメージデータを表示することを特徴とする電子装置。」
［相違点１］
　本願発明では、「第１のプロセッサ」が、「第１イメージセンサから受信した第１イメージデータを処理」するとともに、「前記第１イメージデータにイメージ獲得時点（ｔｉｍｅ　ｓｔａｍｐ）を設定」し、「第２のプロセッサ」が、「第２イメージセンサから受信した第２イメージデータを処理」するとともに、「第２イメージデータにイメージ獲得時点を設定」するのに対し、引用発明１では、「制御部５」が、これらの処理及び設定を行う点。
［相違点２］
　本願発明は、「第１イメージデータ」及び「第２イメージデータ」が、それぞれ「低画素の第１イメージデータ」及び「高画素の第２イメージデータ」であり、「第１プロセッサ」は、「キャプチャイベントの発生に対する応答で、処理遅延の差に基づいて、前記第１イメージセンサを介して受信した多数個の第１イメージデータのうち、前記キャブチャイベントの発生時点より前のイメージ獲得時点を含む第１イメージデータを選択し、前記第２イメージセンサを介して受信した多数個の第２イメージデータのうち、前記キャブチャイベントの発生時点に最も近接したイメージ獲得時点を含む第２イメージデータを選択」し、「選択した第１イメージデータと選択した第２イメージデータを利用して合成イメージを生成」するのに対し、引用発明１では、「第１イメージデータ」及び「第２のイメージデータ」が「低画素」か「高画素」かの特定はなく、「プロセッサ」は、入力部６によりユーザが指定した第１イメージデータに関連づけられたイメージ獲得時点に基づいて、第２イメージセンサを介して受信した第２イメージデータのうち、前記イメージ獲得時点に最も近接したイメージ獲得時点を含む第２イメージデータを選択するものであり、指定された「第１イメージデータ」と「選択した第２イメージデータを利用して合成イメージを生成」するかどうかは特定がない点。
（３）判断
　まず、相違点２について検討する。
　本願発明は、「キャプチャイベント」を契機として、イメージ処理時間の長い「高画素の第２イメージデータ」については、「前記キャブチャイベントの発生時点に最も近接したイメージ獲得時点を含む第２イメージデータ」を選択し、イメージ処理時間の短い「低画素の第１イメージデータ」については、「処理遅延の差に基づいて」、「前記キャブチャイベントの発生時点より前のイメージ獲得時点を含む第１イメージデータ」を選択して、「合成イメージを生成」することにより、「イメージ処理時間による時間遅延を減らす」（本願明細書段落１５）とともに「合成するイメージデータの獲得時点を同期化する」（同段落１５）ものである。
　これに対し、引用発明１は、「取得された画像情報を事後的に容易に時系列に観察することができる」（上記（１）ウの段落２８）ものであって、低画素か高画素かの特定のない任意の「第１イメージデータ」をユーザが指定したことを契機として、イメージデータの処理時間とは無関係に、該指定された「第１イメージデータ」のイメージ獲得時点に最も近接したイメージ獲得時点を含む「第２イメージデータ」を選択して表示するものである。
　してみると、引用発明１は、「キャプチャイベント」を契機として合成イメージを生成する本願発明とはその技術的思想が異なり、ユーザが指定した低画素か高画素かの特定のない任意の「第１イメージデータ」を起点に、イメージデータの処理時間に関係なく「第２イメージデータ」を選択する引用発明１において、相違点２に係る構成（特に、イメージ処理時間の長い「高画素の第２イメージデータ」について「前記キャブチャイベントの発生時点に最も近接したイメージ獲得時点を含む第２イメージデータ」を選択し、イメージ処理時間の短い「低画素の第１のイメージデータ」については、「処理遅延の差に基づいて」、「前記キャブチャイベントの発生時点より前のイメージ獲得時点を含む第１イメージデータ」を選択する点）を採用する動機があるとはいえない。
　したがって、上記相違点２に係る構成は、当業者が容易に想到し得ることとはいえないから、相違点１について検討するまでもなく、本願発明は、当業者が引用発明１に基づいて容易に発明をすることができたとはいえない。
　また、特開２００８−１５２６９２号公報（原査定の引用文献２。以下、「引用文献２」という。）には、
  「ＰＣ等の情報処理装置のディスプレイ画面などの表示データと、その周囲の環境の撮影データとを併せて記録し再生することを可能」（段落１２）とすることを課題として、
「カメラによって撮影された空間画像データを取得する空間画像データ取得部と、
　ディスプレイの表示画像を取得する画面表示データ取得部と、
　前記空間画像データと、前記画面表示データとの合成処理により合成画像を生成する合成画像生成部と、
　前記合成画像生成部の生成した合成画像を出力する合成画像出力部を有し、
　前記合成画像生成部は、
　前記空間画像データ取得部の取得した空間画像データ中のディスプレイ表示位置に、前記画面表示データ取得部の取得した画面表示データを設定した合成画像の生成処理を実行する構成であることを特徴とする画像データ処理システム。」（請求項１）であって、
「前記空間画像データ取得部」は、「複数の異なる位置に設定されたカメラの撮影した複数の空間画像データを取得して、取得した複数の空間画像データを、該空間画像データを撮影したカメラのカメラ識別子と撮影時間情報を含む属性情報とともに記憶部に記憶する処理を実行」（請求項５）するとともに、
「前記画面表示データ取得部は、複数の異なる位置に設定されたディスプレイに表示される複数の画面表示データを取得して、取得した複数の画面表示データを、該画面表示データを表示したディスプレイの識別子とデータ取得時間情報を含む属性情報とともに記憶部に記憶する処理を実行」（請求項６）し、
「前記合成画像生成部」は、「前記空間画像データ取得部の取得した空間画像データの属性情報として記録された空間画像データ取得時間情報と、
　前記画面表示データ取得部の取得した画面表示データの属性情報として記録された画面表示データ取得時間情報と、
　を比較し、画面表示データ取得時間情報に最も近い空間画像データ取得時間情報を持つ空間画像データを合成対象画像として選択して合成画像の生成処理を実行する」（請求項３）ものが記載されている（以下、「引用発明２」という。）。
　しかしながら、引用文献２にも、「空間画像データ」及び「画面表示データ」が、「低画素」か「高画素」かの特定や、これらのデータの処理時間についての記載はなく、引用発明２において、本願発明の特有の構成である、「キャプチャイベント」を契機として、イメージ処理時間の長い「高画素の第２イメージデータ」について「前記キャブチャイベントの発生時点に最も近接したイメージ獲得時点を含む第２イメージデータ」を選択し、イメージ処理時間の短い「低画素の第１イメージデータ」については、「処理遅延の差に基づいて」、「前記キャブチャイベントの発生時点より前のイメージ獲得時点を含む第１イメージデータ」を選択するという構成（相違点２）を採用する動機があるとはいえない。
　したがって、本願発明は、当業者が引用発明２に基づいて容易に発明をすることができたともいえない。
　また、引用発明１と引用発明２とを組み合わせたとしても、本願発明に至ると言うこともできないから、本願発明は、当業者が引用発明１及び引用発明２に基いて容易に発明をすることができたともいえない。
　補正後の請求項８、１２及び１３に係る発明は、いずれも上記相違点２に係る構成と同様の構成を備える発明であるから、本願発明と同様、当業者が引用発明１又は引用発明２に基づいて若しくは引用発明１及び引用発明２に基いて容易に発明をすることができたとはいえない。
　また、補正後の請求項１を直接又は間接的に引用する補正後の請求項２−７に係る発明、補正後の請求項８を直接又は間接的に引用する補正後の請求項９−１１に係る発明、補正後の請求項１２又は１３を引用する補正後の請求項１４に係る発明についても、同様である。
第５　むすび 
　以上のとおり、原査定の理由によっては、本願を拒絶することはできない。また、他に本願を拒絶すべき理由を発見しない。
　よって、結論のとおり審決する。